(57)【要約】【課題】回り止め部材を電極端子から容易に取り外すこと。【解決手段】二次電池の製造装置６０の上側構造体６２は、台座ブロック７０の上方に位置する可動ブロック７３と、可動ブロック７３より下方向に延びるシャフト７８，７９を有している。可動ブロック７３上には、Ｕ字の開口部８２ａ，８３ａが互いに向き合うようにＵ字ブロック８２，８３が設けられている。Ｕ字ブロック８２，８３内に区画された長孔８４，８５内には、シャフト７８，７９のヘッド８１と、押圧部材８６，８７が配設されている。押圧部材８６と押圧部材８７との間には、偏心カム９１が設けられている。押圧部材８６，８７は偏心カム９１によって押圧され、ヘッド８１は、押圧部材８６，８７によって押圧される。【選択図】図３
2015149193.tif 000002
【特許請求の範囲】
【請求項１】
電極端子に係合する回り止め部材を備えた蓄電装置の製造装置において、
回り止め部材を成す二本の棒材と、
前記二本の棒材を支持するベース部材と、
前記二本の棒材に荷重を加える固定手段と、を備え、
前記二本の棒材は、前記ベース部材に遊嵌状態で支持される可動棒材であり、前記固定手段による荷重が加わることで前記電極端子に係合されるとともに前記固定手段により前記二本の棒材に加わる荷重を解除することができることを特徴とする蓄電装置の製造装置。
【請求項２】
前記ベース部材には、各可動棒材のベース部材側端部が遊嵌され、かつ、荷重の付加及び解除方向に長手方向が延びる長孔が形成され、
前記固定手段は、長孔内を摺動する押圧部材を備え、
前記固定手段により各押圧部材が操作され、前記可動棒材のベース部材側端部を、前記長孔内の一端に向けて押圧することで可動棒材が固定されることを特徴とする請求項１に記載の蓄電装置の製造装置。
【請求項３】
前記固定手段は、二本の押圧部材の対向部同士の間に設けられる偏心カムを備え、
前記偏心カムの回転によって各押圧部材を押圧して各棒材に荷重を加えることを特徴とする請求項２に記載の蓄電装置の製造装置。
【発明の詳細な説明】
【技術分野】
【０００１】
本発明は、電極端子に係合する回り止め部材を備えた蓄電装置の製造装置に関する。
【背景技術】
【０００２】
蓄電装置において、ケースの蓋体に正負の電極端子が取り付けられるが、ケースの蓋体への電極端子の取付構造として、蓋体から突出した電極端子の外周面に形成した雄ねじ部にナットを螺入して電極端子を蓋体に締結する構造が知られている。このような取付構造では、電極端子をケースの蓋体に締結する際に電極端子の回り止めをする工具を用いることで作業性を改善することができる。特許文献１に開示された密閉型二次電池では、ボルト式端子のボルト部には特殊ナットの脱着に際して供回り防止工具が嵌合される嵌合孔が設けられている。この嵌合孔に供回り防止工具を挿入した状態で、ボルト式端子のボルト部に特殊ナットを装着することで、嵌合孔の内面と供回り防止工具が係合し合って、供回りを防止することができる。
【先行技術文献】
【特許文献】
【０００３】
【特許文献１】特開２００７−１８８７８７号公報
【発明の概要】
【発明が解決しようとする課題】
【０００４】
ところで、特許文献１の供回り防止工具については、電池の電極端子に用いる場合、治具とすることが好ましい。電極端子は、蓄電装置の内部で電極組立体、または電極組立体に接続された導電部材に接続されている。この接続を損なわない為には、ナットの装着作業時に、供回りを防止するだけでなく、電極端子を回転方向の所定位置・範囲に位置決めする必要がある。このような位置決めには、手作業にて工具を押えるだけでは不十分である。しかしながら、この供回り防止工具を、何らかの装置に固定された治具とした場合、特殊ナットをボルト式端子のボルト部に装着した後には、供回り防止工具を嵌合孔から引き抜くが、このとき、供回り防止工具が嵌合孔の内面に係合していると、供回り防止工具を嵌合孔から引き抜きにくく、供回り防止工具を電極端子から取り外しにくいという課題がある。
【０００５】
本発明の目的は、回り止め部材を電極端子から容易に取り外すことができる畜電装置の製造装置を提供することにある。
【課題を解決するための手段】
【０００６】
上記課題を解決する蓄電装置の製造装置は、電極端子に係合する回り止め部材を備えた蓄電装置の製造装置において、回り止め部材を成す二本の棒材と、前記二本の棒材を支持するベース部材と、前記二本の棒材に荷重を加える固定手段と、を備え、前記二本の棒材は、前記ベース部材に遊嵌状態で支持される可動棒材であり、前記固定手段による荷重が加わることで前記電極端子に係合されるとともに前記固定手段により前記二本の棒材に加わる荷重を解除することができることを要旨とする。
【０００７】
これによれば、固定手段によって棒材に荷重を加えて、棒材を電極端子に係合させることで電極端子の回り止めを行うことができる。そして、棒材を電極端子から取り外すときには、固定手段を操作して、二本の棒材に加わる荷重を解除する。このため、棒材を遊嵌状態に戻すことで、棒材を回転可能な状態にすることができ、電極端子から容易に棒材を取り外すことができる。
【０００８】
上記蓄電装置の製造装置について、前記ベース部材には、各可動棒材のベース部材側端部が遊嵌され、かつ、荷重の付加及び解除方向に長手方向が延びる長孔が形成され、前記固定手段は、長孔内を摺動する押圧部材を備え、前記固定手段により各押圧部材が操作され、前記可動棒材のベース部材側端部を、前記長孔内の一端に向けて押圧することで可動棒材が固定されることが好ましい。
【０００９】
これによれば、押圧部材を荷重の付与する方向及び荷重を解除する方向へ摺動させることができ、押圧部材を介して棒材に荷重の付与及び解除を行うことができる。
上記蓄電装置の製造装置について、前記固定手段は、各押圧部材の間に設けられる偏心カムを備え、前記偏心カムの回転によって各押圧部材を押圧して各棒材に荷重を加えることが好ましい。
【００１０】
これによれば、偏心カムによって、二本の押圧部材を押圧できるため、各押圧部材を押圧する部材を別々に設ける場合に比べて、押圧部材の押圧を行いやすい。
【発明の効果】
【００１１】
本発明によれば、回り止め部材を電極端子から容易に取り外すことができる。
【図面の簡単な説明】
【００１２】
【図１】実施形態の二次電池を示す分解斜視図。
【図２】実施形態の二次電池を示す斜視図。
【図３】実施形態の製造装置を示す斜視図。
【図４】実施形態の製造装置を示す斜視図。
【図５】（ａ）はシャフトを押圧している状態の押圧装置を示す平面図、（ｂ）はシャフトが押圧されている状態の棒部と電極端子との関係を示す断面図。
【図６】（ａ）はシャフトを押圧していない状態の押圧装置を示す平面図、（ｂ）はシャフトが押圧されていない状態の棒部と電極端子との関係を示す断面図。
【図７】変形例の製造装置の棒部を示す断面図。
【図８】変形例の製造装置のヘッドを示す図。
【発明を実施するための形態】
【００１３】
以下、蓄電装置の製造装置の一実施形態について説明する。
図１及び図２に示すように、畜電装置としての二次電池１０において、金属製のケース１１には電極組立体２０及び電解液（図示せず）が収容されている。また、ケース１１は、上面開口部を有する直方体状のケース本体１２と、ケース本体１２の開口部を閉塞する矩形平板状の蓋体１３とを有する。ケース本体１２と蓋体１３は、何れも金属製（例えば、ステンレスやアルミニウム）であり、ケース本体１２と蓋体１３はレーザー溶接によって接合されている。また、本実施形態の二次電池１０は、その外周が角型をなす角型電池であり、リチウムイオン電池である。
【００１４】
電極組立体２０は、正極電極２１、負極電極２２、及び正極電極２１と負極電極２２とを絶縁するセパレータを有する。正極電極２１は、正極金属箔（アルミニウム箔）の両面に正極活物質を備える。負極電極２２は、負極金属箔（銅箔）の両面に負極活物質を備える。そして、電極組立体２０は、複数の正極電極２１と複数の負極電極２２が交互に積層されるとともに、両電極の間に多孔質にて樹脂製のセパレータが介在された積層構造である。
【００１５】
正極電極２１は、一辺（長辺）の一部に正極集電タブ２３を有し、負極電極２２は、一辺（長辺）の一部に負極集電タブ２４を有する。複数の正極電極２１は、それぞれの正極集電タブ２３が積層方向に沿って列状に配置されるように積層される。同様に、複数の負極電極２２は、それぞれの負極集電タブ２４が、正極集電タブ２３と重ならないように積層方向に沿って列状に配置されるように積層される。電極組立体２０は、正極集電タブ２３を集めてなる正極タブ群２５を備える。この正極タブ群２５の少なくとも最外の正極集電タブ２３が、正極導電部材２６と溶接されており、正極タブ群２５が電極組立体２０における正極端子３０への接続部となる。また、電極組立体２０は、負極集電タブ２４を集めてなる負極タブ群２７を備える。この負極タブ群２７の少なくとも最外の負極集電タブ２４が負極導電部材２８と溶接されており、負極タブ群２７が電極組立体２０における負極端子３１への接続部となる。
【００１６】
正極導電部材２６には、電極端子としての正極端子３０が溶接されるとともに、負極導電部材２８には、電極端子としての負極端子３１が溶接されている。正極端子３０及び負極端子３１は、全体形状として円柱状をなしている。正極端子３０及び負極端子３１は、それぞれ、円柱状の極柱部４０と、四角板状をなす基部４１を有する。基部４１の中央から極柱部４０が立設されている。正極端子３０及び負極端子３１は、極柱部４０の外周面に雄ねじ部４２を有する。
【００１７】
正極端子３０及び負極端子３１の基部４１には、樹脂製の端子カバー５０が装着されている。また、基部４１の上にはＯリング５１が極柱部４０を取り囲む状態に設けられている。端子カバー５０により、ケース１１の蓋体１３と正極端子３０及び負極端子３１が電気的に絶縁されているとともに、ケース本体１２と、正極端子３０及び負極端子３１とが電気的に絶縁されている。さらに、端子カバー５０により、電極組立体２０と正極端子３０及び負極端子３１とが電気的に絶縁されている。
【００１８】
正極端子３０及び負極端子３１の極柱部４０は、ケース１１の内部から蓋体１３の透孔１４を貫通して蓋体１３の上方に突出（露出）している。透孔１４の内周面と、極柱部４０の外周面とは、絶縁部材５２によって絶縁されている。絶縁部材５２は、筒状部５３と、この筒状部５３の軸方向一端縁に設けられたフランジ部５４を有する。筒状部５３は、透孔１４の内周面と極柱部４０の外周面との間に介装されている。フランジ部５４は、ケース１１の蓋体１３の外面に接している。
【００１９】
正極端子３０の極柱部４０の雄ねじ部４２にはナット５５が螺合されている。同様に、負極端子３１の極柱部４０の雄ねじ部４２にはナット５６が螺合されている。ケース１１の蓋体１３の外面と、ナット５５，５６との間には、絶縁部材５２のフランジ部５４が挟圧され、フランジ部５４によってナット５５，５６と蓋体１３が絶縁されている。また、ナット５５，５６と基部４１との間に、絶縁部材５２のフランジ部５４、ケース１１の蓋体１３、Ｏリング５１及び端子カバー５０が狭圧されるとともに正極端子３０及び負極端子３１がケース１１の蓋体１３に固定されている。
【００２０】
このようにして、円柱状をなす正負の電極端子（３０，３１）が蓋体１３から突出して正極端子３０及び負極端子３１の外周面に形成された雄ねじ部４２にナット５５，５６が螺入されて蓋体１３に締結されている。
【００２１】
正極端子３０及び負極端子３１は、極柱部４０の軸方向に延びる凹部４５を有する。凹部４５は、図示しないねじ溝が形成された雌ねじ穴と、軸方向に沿った雌ねじ穴よりも先端側にて、ねじ溝が形成されない六角形状の嵌合穴４６とから構成されている。凹部４５は、極柱部４０の先端（突出端）面中央部において開口し、極柱部４０の軸方向に所定の深さとなっている。
【００２２】
次に、正極端子３０及び負極端子３１の組付のための二次電池の製造装置（治具）について説明する。
図３及び図４に示すように、二次電池の製造装置（治具）６０は、下側構造体６１と上側構造体６２とを備える。
【００２３】
下側構造体６１は、長方形の板状をなし、水平方向に延びている。そして、Ｙ方向に長手方向が延びる台座ブロック７０を備え、台座ブロック７０は、角柱状をなし、下側構造体６１の上面におけるＸ方向での端部に設けられている。さらに、台座ブロック７０のＹ方向の両端には、上側構造体６２を支持するための支柱部７１，７２が配置されている。支柱部７１，７２は、Ｘ方向及びＹ方向に沿った断面が略コ字状をなし、Ｙ方向のコ字状の開口を台座ブロック７０側（内側）に向けるように配置され、上下方向（Ｚ方向）に延びるように固定されている。下側構造体６１の上面には、電極組立体２０等が配置される。台座ブロック７０の上面には、蓋体１３、正極端子３０及び負極端子３１、ナット５５，５６等が配置される。
【００２４】
ベース部材としての上側構造体６２は、台座ブロック７０の上方に位置する可動ブロック７３と、可動ブロック７３より下方向に延びるシャフト７８，７９を有している。シャフト７８，７９は、本発明における棒材をなす。可動ブロック７３のＹ方向の両端には、可動ブロック７３を上下方向に摺動可能に支持するための摺動部材７４，７５が設けられている。摺動部材７４，７５は、断面略四角形にて上下方向に延びる摺動部７４ａ，７５ａを備える。この摺動部７４ａ，７５ａが、支柱部７１，７２のコ字状開口の内側に配置され、上下方向に摺動可能とされている。
【００２５】
可動ブロック７３は、一方の摺動部材７４に係合する係合部７６と、他方の摺動部材７５に係合する係合部７７とを有する。摺動部材７４，７５と可動ブロック７３とは固定されている。よって、可動ブロック７３はＹ方向の両端を支持された状態で上下に移動することができる。
【００２６】
可動ブロック７３においてＹ方向に離間した位置には、一対のシャフト７８，７９が下方に延びるように配置されている。棒材としてのシャフト７８，７９は、同一構成をなし、棒部８０と、棒部８０の上端に設けたベース部材側端部としてのヘッド８１を有している。シャフト７８，７９の棒部８０は、六角柱状をなしており、シャフト７８，７９のヘッド８１は、全体形状として四角柱状をなしている。棒部８０は、軸方向に直交する方向の断面形状（六角形）が、極柱部４０の先端面に沿い、かつ、軸方向に直交する方向での嵌合穴４６の断面形状（六角形）と相似となっており、棒部８０の方が断面積が小さい。すなわち、棒部８０を嵌合穴４６に挿入した状態では、棒部８０と嵌合穴４６の内面との間に隙間が形成される。
【００２７】
可動ブロック７３の上面における各シャフト７８，７９の配置箇所にはＵ字ブロック８２，８３が設けられている。Ｕ字ブロック８２，８３は、Ｘ方向及びＹ方向に沿った断面がＵ字状であり、Ｙ方向へのＵ字の開口部８２ａ，８３ａが互いに向き合うように可動ブロック７３上に設けられている。Ｕ字ブロック８２，８３の内側には、Ｙ方向に延びる長孔８４，８５が区画されている。そして、押圧装置９０によりシャフト７８，７９は、Ｕ字ブロック８２，８３のＹ方向での閉塞端８２ｂ，８３ｂ（開口部８２ａ，８３ａとは反対側の端部）に向けて押圧されることにより移動不能にロックされる。
【００２８】
また、可動ブロック７３の上面には、押圧装置９０が設けられている。押圧装置９０は、一対のＵ字ブロック８２，８３と、各Ｕ字ブロック８２，８３の長孔８４，８５内に配置された棒状の押圧部材８６，８７と、Ｕ字ブロック８２，８３上に設けられた押え板８８と、偏心カム９１と、を備えている。
【００２９】
長孔８４，８５の長手方向において、開口部８２ａ，８３ａとは反対側の一端（閉塞端８２ｂ，８３ｂ）側には、シャフト７８，７９のヘッド８１が遊嵌状態で配設されている。そして、長孔８４，８５内で、ヘッド８１よりも開口部８２ａ，８３ａ側には、押圧部材８６，８７が配設されている。ヘッド８１及び押圧部材８６，８７は、押え板８８によって長孔８４，８５の貫通方向への抜け出しが規制されている。また、ヘッド８１及び押圧部材８６，８７は、長孔８４，８５内を長手方向に摺動可能に設けられている。すなわち、シャフト７８，７９は、可動ブロック７３に遊嵌状態で支持され、長孔８４，８５の長手方向に移動可能な可動棒材である。押圧部材８６，８７は、軸方向の一端部が、長孔８４，８５の開口部８２ａ，８３ａからＵ字ブロック８２，８３の外へ突出している。
【００３０】
可動ブロック７３の上面であって、二つのＵ字ブロック８２，８３のＵ字の先端部（対向部）同士及び押圧部材８６，８７の間には、偏心カム９１が配設されている。偏心カム９１は、可動ブロック７３上で、一方のＵ字ブロック８２と、他方のＵ字ブロック８３との間に設けられている。偏心カム９１は、楕円状の板材の一部を切り欠くことで形成された直線部９４と、直線部９４の一端から他端に向けて弧をなす弧部９５とを有している。
【００３１】
偏心カム９１には、偏心カム９１の厚み方向に貫通する回転軸９３が固定され、この回転軸９３は、偏心カム９１の上面での中心からずれた位置に固定されている。偏心カム９１の上面において、回転軸９３から弧部９５の外周面までの長さは、直線部９４の一端から他端に向けて次第に長くなっていく。回転軸９３は、可動ブロック７３に設けられた貫通長孔９６を貫通するとともに貫通長孔９６を貫通した位置で固定部９７によって可動ブロック７３に固定されている。貫通長孔９６は、その長手方向がＹ方向に延びており、回転軸９３が貫通長孔９６内を長手方向に移動することで、偏心カム９１がＹ方向に移動可能に構成されている。偏心カム９１には、レバー９８が設けられており、レバー９８によって回転軸９３を中心として偏心カム９１を回転させることができる。
【００３２】
次に、上記の二次電池の製造装置６０を用いた正極端子３０及び負極端子３１の組付方法について説明する。
導電部材２６，２８に正極端子３０及び負極端子３１が溶接されるとともに電極組立体２０のタブ２３，２４が導電部材２６，２８に溶接され、さらに、正極端子３０及び負極端子３１には端子カバー５０及びＯリング５１が装着される。また、蓋体１３の透孔１４には絶縁部材５２が装着される。
【００３３】
この状態から、図４に示すように、二次電池の製造装置（治具）６０における下側構造体６１の上面に、電極組立体２０に蓋体１３を９０度開いた状態で載せるとともに上側構造体６２の台座ブロック７０に、蓋体１３、正極端子３０及び負極端子３１、端子カバー５０、ナット５５，５６を配置する。
【００３４】
次に、可動ブロック７３を上下動させ、シャフト７８，７９の棒部８０を正極端子３０及び負極端子３１の嵌合穴４６に挿入する。二本のシャフト７８，７９は、Ｕ字ブロック８２，８３の長孔８４，８５内を長手方向に移動可能であるため、シャフト７８，７９を長孔８４，８５内で移動させることで、正極端子３０及び負極端子３１の嵌合穴４６に棒部８０が挿入されるように調整を行う。棒部８０を嵌合穴４６に挿入した段階では、棒部８０と嵌合穴４６の間には隙間が存在し、棒部８０ががたつく。
【００３５】
そして、図５（ａ）に示すように、レバー９８を操作して偏心カム９１を回転させる。弧部９５の外周面は、回転軸９３からの長さが回転に伴って長くなっていくため、偏心カム９１を回転させると、各押圧部材８６，８７の突出端（長孔８４，８５から突出している端部）が弧部９５によって押圧されていく。偏心カム９１は、弧部９５によって両押圧部材８６，８７を押圧するが、このとき、偏心カム９１が、貫通長孔９６の長手方向に沿ってＹ方向へ移動可能であるため、一方の押圧部材８６，８７のみが偏心カム９１によって押圧されることが抑制されている。そして、各押圧部材８６，８７がシャフト７８，７９のヘッド８１を長孔８４，８５の閉塞端８２ｂ，８３ｂに向けて押圧する。
【００３６】
図５（ｂ）に示すように、ヘッド８１が押圧部材８６，８７によって押圧されると、棒部８０は、長孔８４，８５の長手方向に摺動し、正極端子３０及び負極端子３１の嵌合穴４６の内面に向けて押圧される。すなわち、棒部８０に荷重が加わる。よって、長孔８４，８５は、その長手方向が棒部８０へ荷重を加える方向に延びている。棒部８０が押圧されると、棒部８０の角と、嵌合穴４６の内面の角とが係合し合い、シャフト７８，７９によって正極端子３０及び負極端子３１が位置決めされる。この状態で正極端子３０及び負極端子３１の雄ねじ部４２にナット５５，５６を装着（螺合）することで、正極端子３０及び負極端子３１の供回りが抑止された状態でナット５５，５６を螺入することができる。したがって、シャフト７８，７９が回り止め部材として機能している。また、シャフト７８，７９に荷重を加えてシャフト７８，７９を位置決めする押圧装置９０が固定手段として機能している。
【００３７】
次に、二次電池の製造装置６０の作用について説明する。
図５（ａ）及び（ｂ）に示すように、ナット５５，５６を正極端子３０及び負極端子３１の雄ねじ部４２に螺入するときには、棒部８０が嵌合穴４６の内面に押さえつけられた状態でナット５５，５６が螺入されていく。正極端子３０及び負極端子３１は、ナット５５，５６と共に回転しようとするが、正極端子３０及び負極端子３１の回転を棒部８０と、正極端子３０及び負極端子３１の嵌合穴４６の内面との係合によって規制している。このため、正極端子３０及び負極端子３１が回転しようとする力は、棒部８０に加わり、棒部８０、詳細にいえば、棒部８０の角が嵌合穴４６の内面に係合する。
【００３８】
図６（ａ）及び（ｂ）に示すように、棒部８０を嵌合穴４６から引き抜くときには、偏心カム９１を回転させて、弧部９５による押圧部材８６，８７の突出端の押圧を解除する。すると、棒部８０が長孔８４，８５内を長手方向に摺動し、棒部８０の嵌合穴４６の内面に向けた押圧が解除される。すなわち、棒部８０に対する荷重の付与を解除する。長孔８４，８５は、その長手方向が棒部８０への荷重を解除する方向に延びている。シャフト７８，７９のヘッド８１は、長孔８４，８５内にて遊嵌状態にあり、すなわち押圧部材８６，８７にて押圧されていない状態ではガタを有し、僅かながら回転も可能である。これにより、棒部８０の嵌合穴４６の内面への係合が解消、あるいは、棒部８０が依然として嵌合穴４６の内面に係合していたとしても、棒部８０と嵌合穴４６の内面との係合が解除されることで、棒部８０を容易に引き抜くことができる。
【００３９】
したがって、上記実施形態によれば、以下のような効果を得ることができる。
（１）正極端子３０及び負極端子３１の嵌合穴４６に挿入される両方の棒部８０を押圧部材８６，８７及び偏心カム９１によって嵌合穴４６の内面に押圧することができるようにしている。このため、正極端子３０及び負極端子３１にナット５５，５６を螺入するときには、シャフト７８，７９を嵌合穴４６の内面に押圧し、係合させることができる。そして、ナット５５，５６を螺入したあとには、偏心カム９１によって両シャフト７８，７９を遊嵌状態に戻すことで、棒部８０を嵌合穴４６から容易に引き抜くことができる。
【００４０】
（２）シャフト７８，７９は、Ｕ字ブロック８２，８３の長孔８４，８５内を長手方向に移動可能であるため、正極端子３０及び負極端子３１の位置に合わせてシャフト７８，７９を移動させることができる。このため、正極端子３０及び負極端子３１の位置決めが容易となる。
【００４１】
（３）偏心カム９１を用いて、両方の押圧部材８６，８７の突出端を押圧できるようにしているため、それぞれの押圧部材８６，８７を別々に移動させる必要がなく、シャフト７８，７９の位置決めを行いやすい。
【００４２】
（４）偏心カム９１の回転軸９３を貫通長孔９６に挿通することで、偏心カム９１は、押圧部材８６，８７の間を移動可能となっている。このため、押圧部材８６，８７のうち、いずれかのみが偏心カム９１によって押圧されることが抑制される。
【００４３】
なお、実施形態は、以下のように変更してもよい。
○棒部の形状は、嵌合穴と係合できればどのような形状であってもよい。例えば、図７に示すように、棒部１０１は、円柱状をなす円柱部１０２と、円柱部１０２から円柱部１０２の径方向に突出して円柱部１０２の軸方向に延びる矩形状の羽根部１０３とを有していてもよい。羽根部１０３は、円柱部の１８０度ずれた位置にそれぞれ設けられている。そして、棒部１０１の形状に合わせて、嵌合穴１１０の形状も変更される。具体的にいえば、嵌合穴１１０は、円形状の円形穴１１１と、円形穴１１１から円形穴１１１の径方向に延びる矩形状の角形穴１１２とからなる。円柱部１０２は、円形穴１１１に、羽根部１０３は角形穴１１２に、それぞれ挿入される。そして、棒部１０１が嵌合穴１１０の内面に押圧された状態で、ナット５５，５６が正極端子３０及び負極端子３１の雄ねじ部４２に螺入されると、羽根部１０３が角形穴１１２の内面に係合する。
【００４４】
○シャフト７８，７９のヘッド８１は、上記実施形態では四角柱状とされているが、四角柱状に限定されるものではない。例えば、図８に示すように、ヘッド１２０は、軸方向に直交する断面が略Ｄ字状（円の一部が直線状にカットされている形状）であってもよい。このような形状であっても、直線部１２１がＵ字ブロック８２，８３の開口側に配置された状態では、押圧部材８６，８７によって直線部１２１が押し付けられ、円弧面１２２にて外側に圧を受けることでＹ軸方向（外向き）、Ｘ軸方向に位置決めされる。さらに、ヘッド８１を円弧状とすることで、遊嵌状態におけるシャフト７８，７９の回転方向の自由度が大きくなる。
【００４５】
○押圧装置は、シャフト７８，７９をＵ字ブロック８２，８３の閉塞端８２ｂ，８３ｂに向けて押圧できればどのような構成であってもよく、例えば、押圧部材８６，８７をＵ字ブロック８２，８３の閉塞端８２ｂ，８３ｂに向けて押圧した状態で位置決めすることができる固定具によって押圧部材８６，８７を固定する押圧装置であってもよい。
【００４６】
○押圧装置は、両方の押圧部材８６，８７を押圧できる構成としたが、押圧装置をそれぞれの押圧部材８６，８７を別々に押圧する構成としてもよい。
○偏心カム９１は、両方の押圧部材８６，８７の突出端を押圧できれば、Ｙ方向に移動できなくてもよい。
【００４７】
○リチウムイオン電池の製造装置として発明を具体化したが、ニッケル水素二次電池や、電気二重層キャパシタの製造装置として発明を具体化してもよい。
次に、上記実施形態及び変形例から把握することができる技術的思想について以下に追記する。
【００４８】
（イ）電極組立体が収容されたケースからケースの外部に向けて突出するとともに外周面に雄ねじ部を有する正負の電極端子にナットを螺合することで、前記ケースに前記電極端子を固定した蓄電装置の製造装置であって、各電極端子の突出端から前記電極端子の突出方向に延びる嵌合穴に挿入される二本の棒材と、前記二本の棒材を遊嵌状態で支持するベース部材と、前記二本の棒材に荷重を加えて前記二本の棒材を前記嵌合穴の内面に押しつけることと、前記二本の棒材に加わる荷重を解除することができる固定手段と、を備えたことを特徴とする蓄電装置の製造装置。
【符号の説明】
【００４９】
１０…二次電池、３０…正極端子、３１…負極端子、６０…製造装置、６２…上側構造体、７３…可動ブロック、７８，７９…シャフト、８０…棒部、８１…ヘッド、８２，８３…Ｕ字ブロック、８４，８５…長孔、８６，８７…押圧部材、９０…押圧装置、９１…偏心カム。
【図１】
2015149193.tif 000003
【図２】
2015149193.tif 000004
【図３】
2015149193.tif 000005
【図４】
2015149193.tif 000006
【図５】
2015149193.tif 000007
【図６】
2015149193.tif 000008
【図７】
2015149193.tif 000009
【図８】
2015149193.tif 000010